Podtech/llm-jp-corpus-v4-ja_patent huggingface dataset:
(57)【要約】      （修正有）【課題】位牌の台座に空洞を設け遺品を入れた位牌を提供する。【解決手段】位牌１の台座２に空洞８を設け、台座２の台座に家紋を書き入る。台座２の裏側に扉１０を取り付け、扉１０を開き台座２の空洞８内に遺品又は遺灰９を入れ、位牌の裏面４には生前の名前５及び出身地６と亡日７を書き入れ、普段は位牌のおもて面を前に出し供養し、彼岸及びお盆等の時には位牌を回し、裏側を前に向けて扉１０を開き供養するようにした。【選択図】図１
0003216842.tif 000002
【実用新案登録請求の範囲】
【請求項１】
位牌の台座に空洞を設け、台座の裏側に扉を取り付け、空洞内に遺品又は遺灰を収め、位牌の裏面は彼岸及びお盆等の時期には位牌の裏側を前に向け扉を開き供養する、位牌の台座に空洞を設け遺品を入れた位牌。
【請求項２】
位牌の裏面に生前の名前及び出身地と亡日を書き入れた、位牌の台座に空洞を設け遺品を入れた位牌。
【考案の詳細な説明】
【考案の詳細な説明】
【技術分野】
【０００１】本考案は、位牌の台座の中に空洞を設け空洞の後面に扉を取り付け、空洞内に遺品又は位灰を収める。
【背景技術】
【０００２】従来の位牌は、戒名等を書き入れ台座にきらびやかな彫刻を施した物が多数であった。
【考案の開示】
【考案が解決しようとする課題】
【０００３】従来の位牌を質素な形にしてタンスの上等に置ける様にしたもので、豪邸ではきらびやかな位牌でもよいが一般の家庭では似合わない。又転勤族等ではピカピカの位牌では置く所がない、まして最近では墓終いやお墓はいらない等の人が多数になって来ました。
【課題を解決するための手段】
【０００４】位牌の台座の中に空洞を設け、台座の裏側に扉を作り、空洞内に故人の遺品又は位灰を収め、裏側の位牌には生前の名前と出身地及び亡日を書き入れ、前面の位牌には戒名等を書き台座には家紋を書き入れる。
普段には前面側を正面に出し、お彼岸及びお盆等の時にはくるりと回し裏面を前に出し、扉を開き遺品又は位灰を見て生前の名前を読み上げ供養する。
【考案の効果】
【０００５】従来の位牌では戒名を見て拝むのであるが、年数が過ぎると誰の位牌か分からなくなってしまうが、此の位牌は裏面を見れば生前の名前出身地及び亡日が書いて有り、台座の扉を開けると故人の遺品又は位灰が見えるため供養出来る。
【考案を実施するための最良の形態】
【０００６】前面の位牌の台座に家紋等を入れ位牌には戒名等を書き込み、位牌の裏面には生前の名前及び出身地及び亡日を書き入れ、台座の内部に空洞を設け扉を作り、内部の空洞に故人の遺品又は位灰等を入れ位牌を回し裏面を前に出し、お彼岸及びお盆等の時は扉を開き供養する。普段は位牌を前面に向けるが、お彼岸やお盆等の時は位牌を回し裏面を前に向けて扉を開き供養する。
【実施例】
【０００７】以下添付図面により実施例を説明する。
図２は位牌の前面であるが、位牌１の前面には戒名を書き入れ台座２の前面には家紋３等を書き入れる。位牌１の裏面４には生前の名前５及び出身地６と亡日７を書き入れ、台座２の中は空洞８を設け故人の遺品又は遺灰９を扉１０を開き収納する。
【図面の簡単な説明】
【図１】位牌の前面
【図２】位牌の裏面
【図３】位牌の側面図
【符号の説明】１      位牌
２      台座
３      家紋
４      位牌の裏面
５      生前の名前
６      出身地
７      亡日
８      空洞
９      遺品又は遺灰
１０    扉
【図１】
0003216842.tif 000003
【図２】
0003216842.tif 000004
【図３】
0003216842.tif 000005
(57)【要約】      （修正有）【課題】猫や小型犬等の小動物を対象にした、従来の首輪よりも飼い主もペットもより安全な状態で装着できるペット用首輪を提供する。【解決手段】磁石４個を布で作った帯状の首輪６の両端の中に包み込んで縫製し、ペットに負担の少ない適度な磁力で留める。飼い主とペットがより安全な状態で、ペットの美観を損なわずに過ごせるようになる。【選択図】図１
0003216846.tif 000002
【実用新案登録請求の範囲】
【請求項１】
磁石を留め具として使用するペット用首輪において、磁石を包み込んで縫うことにより硬い部分や金属面が露出しないことを特徴とする、ペット用首輪。
【請求項２】
磁石を両端に２個づつ、計４個を用いたことを特徴とする、請求項１に記載のペット用首輪。
【請求項３】
磁石は両端とも１個は固定状態、もう１個は首輪の一定の範囲を移動可能状態にして首輪のサイズを調整できることを特徴とする、請求項１または２に記載のペット用首輪。
【考案の詳細な説明】
【技術分野】
【０００１】  本考案は、猫や小型犬等の小動物を対象にした、磁石を留め具として利用するペット用の首輪である。
【背景技術】
【０００２】  今までペット用首輪といえば所有者の管理下にある証明、またはリードやハーネスなどと繋ぐための道具のひとつであった。
【考案の概要】
【考案が解決しようとする課題】
【０００３】  今までの首輪は尾錠で容易に外れないよう固定するものが主であり、頑強さを求められていた。反面、屋内外において首輪を何かに引っ掛けて首吊り状態となる事故も少なくないという問題が常にあった。ペット用首輪にはある程度の負荷を与えれば外れる安全バックルも用いられているが、実際に引っ張って外してみると力が一点にかかり、骨の細い猫や小型犬等小動物の首には負担が大きい。またペットの室内飼いが多くなるなか、実用重視の首輪の無機質さは愛玩対象に不調和をもたらせている。首輪を装着する時にペットが一時的な拘束を嫌がって暴れ、飼い主・ペットともに怪我をする危険性がある。
【課題を解決するための手段】
【０００４】  頑強な尾錠や安全バックルではなく磁石を留め具として用いることでペットと飼い主の安全性を向上させ、ペット愛玩の大きな理由の一つである美観を妨げない、という手段を提供する。
【考案の効果】
【０００５】  ペットの負担が軽減される。例えば、首輪が何かに引っかかったときにペットの首に負担が少なく外れる。また尾錠や安全バックルのように硬い部分が露出することなく、猫や小型犬等の小動物の被毛や皮膚を傷つけない。また磁石同士が引き合うのでペットを拘束せずに装着できる。【０００６】  首輪全体が装着時を考慮して選んだ布で覆われているので、愛玩の対象の一つである美観を損ねない。
【図面の簡単な説明】
【０００７】
【図１】本考案のペット用首輪の外観図である。
【図２】本考案のペット用首輪の実施例を示す図である。
【考案を実施するための形態】
【０００８】  布をまず二つ折り、その両側をそれぞれ同じ向きに中央までもう１回ずつ折って帯状にし、短い１辺を残して３辺を縫い細長い袋状にする。その中に強力な磁石をＮ極またはＳ極の向きを全て同じにして４個を入れ、縫い残した１辺を縫いとめる。帯状の首輪の両端の２個は両端に固定されるように、両内側の２個はある程度の移動可能範囲をとって縫いとめる。強力な磁石としてはネオジウム磁石やネオジム磁石等が使用できる。本考案は室内用にも使用できる。また、猫や小型犬以外の小動物にも使用できる。
【実施例】
【０００９】  以下、添付図面に従って一実施例を説明する。１〜４は磁石、５は縫い目、６は周囲を縫い帯状になった首輪の本体である。首輪の両端を重ねるように近づけると、磁石の１と４、２と３等互いに異なる極どうしで引き付け合い、首輪状態を形成する。
【符号の説明】
【００１０】１  固定した磁石
２  可動の磁石
３  固定した磁石
４  可動の磁石
５  磁石固定用、または磁石の移動範囲を限定するための縫い目
６  帯状の首輪本体
【図１】
0003216846.tif 000003
【図２】
0003216846.tif 000004
(57)【要約】      （修正有）【課題】拳の保護に加え、大きさや厚さ、位置を自由に調節でき、洗って清潔な状態を保つことができ、鍛錬の際に使用される衝撃吸収具の利便性の向上を実現するボクシング及び格闘技用衝撃吸収具を提供する。【解決手段】工業用途でも用いられるゲル状スチレン系エラストマー素材の衝撃吸収用シートをボクシング及び格闘技用衝撃吸収具に転用しバンテージで固定する。切ったり重ねたりすることで大きさの調整が容易にでき、位置調整の際の自由度も上がる。従来の様に衝撃吸収剤を布で覆うのを止めることで水洗いも可能である。【選択図】図３
0003216834.tif 000002
【実用新案登録請求の範囲】
【請求項１】
ボクシング及び格闘技の鍛錬を行うときに用いるゲル状スチレン系エラストマー素材のボクシング及び格闘技用衝撃吸収具。
【請求項２】
主に拳など保護したい身体の部位を覆うシート状の請求項１のボクシング及び格闘技用衝撃吸収具。
【請求項３】
拳を主とする身体の部位を覆うように載せ、バンテージ等帯状のものを巻き付けて固定する請求項１のボクシング及び格闘技用衝撃吸収具。
【考案の詳細な説明】
【技術分野】
【０００１】
本考案はゲル状のスチレン系エラストマー素材から成るボクシング及び格闘技用衝撃吸収具に関する。
【背景技術】
【０００２】
従来格闘技、ボクシング及び格闘技の鍛錬において衝撃から拳を保護するために衝撃吸収具を装着することがある。手の甲や関節部分に衝撃吸収具を装着し、打撃練習等において拳を痛めないようにしている。
【考案の概要】
【考案が解決しようとする課題】
【０００３】
従来のこの種の衝撃吸収具はスポンジのような素材を伸縮性のある布でコーティングし、リストバンド等のように手にはめ込んで使う仕様になっている。
【０００４】
しかし従来のスポンジのような素材は反発性がやや高い為、打撃の際に拳に衝撃が伝わってしまう恐れがある。耐久性も低めで繰り返し使うと厚みが変わったり変形してしまうこともある。
【０００５】
従来の衝撃吸収具はリストバンド型で布で覆っている為、個人に合わせた大きさや厚さの調整もできず、既存の物から自分に合うと感じる物を選ぶしかない。位置調節もコーティングしている布の伸縮の範囲の内に限定されている。手に触れる部分の材質が布である分、ずれやすくもなっている。
【０００６】
さらに肌に直に触れ、汗が染みこむ道具であるにも関わらず、洗うことが困難で衛生面に支障をきたすという問題を抱えている。
【０００７】
本考案は、以上のような従来の問題に鑑み、高い身体保護性、耐久性を有し大きさ厚さや位置の調節が自由にでき衛生面においても優れているボクシング及び格闘技用衝撃吸収具を提供することを目的とする。
【課題を解決するための手段】
【０００８】
本考案にかかる衝撃吸収具は耐震用マットといったような工業用途にも用いられるゲル状スチレン系エラストマー素材のシートをそのまま衝撃吸収具に転用していることを特徴とする。
【０００９】
前記の吸収具は保護をする手の甲や関節部に載せ、バンテージ等の帯状の物で固定をして使用する。
【考案の効果】
【００１０】
本考案は工業用の衝撃吸収用シートを転用している為、不要な部分を切ったり小さく切ったものを複数並べたりして大きさの調節が自由にできる。重ねることで厚みを増すことも可能になる。
手に載せてから固定を行うので、位置や角度も個々の手の大きさ形状に合わせて自由に変えられる。またゲルは軟質であるため、身体の動きに対応して伸縮する。このことにより安全で個々の身体状況に合わせた鍛錬の実現が期待される。
【００１１】
本考案のゲルはボクシング及び格闘技よりも大きな衝撃を想定した耐震用マットに使われている。このためより高い衝撃吸収性、耐久性を有している。反発性も低く拳で撃った時の衝撃を最小限に抑えられる。加えて滑りにくさも併せ持つため激しい鍛錬における衝撃吸収具のずれを防止する。
【００１２】
本体はゲル状のシートのみで、固定に用いられるバンテージとも固着していない為、汚れたら水での丸洗いが可能である。このことにより、長期間使い続けることができ衛生状態も良好に保つことが可能になる。
【００１３】
以上のことから、拳を保護できるという安全性と、位置調整や手入れが極めて簡単に行えるという利便性の両立を実現した。
【図面の簡単な説明】
【００１４】
【図１】スポーツ用衝撃吸収具の全体図である。
【図２】バンテージを用いた固定の巻き始めの図である。
【図３】バンテージを用いた固定の巻き終わりの図である。
【考案を実施するための形態】
【００１５】
衝撃吸収具（１）を手の甲や関節部を覆うように載せる。この時拳以外の関節部等、任意の身体の部位に用いても良い。
【００１６】
バンテージ等、帯状の物（２）を上から巻き付けて固定する。
【符号の説明】
【００１７】
１  ボクシング及び格闘技用衝撃吸収具
２  固定用のバンテージ等の帯状の物
【図１】
0003216834.tif 000003
【図２】
0003216834.tif 000004
【図３】
0003216834.tif 000005
【手続補正書】
【提出日】平成30年4月24日(2018.4.24)
【手続補正１】
【補正対象書類名】実用新案登録請求の範囲
【補正対象項目名】全文
【補正方法】変更
【補正の内容】
【実用新案登録請求の範囲】
【請求項１】
四角いシートの形状を取り、手の甲や関節部に載せてバンテージで固定をするゲル状スチレン系エラストマー素材のボクシング及び格闘技用の衝撃吸収具。
【請求項２】
主に拳など保護したい身体の部位を覆うシート状の請求項１のボクシング及び格闘技用衝撃吸収具。
【請求項３】
拳を主とする身体の部位を覆うように載せ、バンテージ等帯状のものを巻き付けて固定する請求項１のボクシング及び格闘技用衝撃吸収具。
(57)【要約】      （修正有）【課題】足の正常な発育を促す靴を提供する。【解決手段】外観からはわからないように靴の内部に足の親指と人差し指で挟む構造物２を設けて靴の内側に足先が当たらないようにする。【選択図】図１
0003216840.tif 000002
【実用新案登録請求の範囲】
【請求項１】
靴の中に足の親指と人差し指で挟む構造物を設けた靴。
【考案の詳細な説明】
【技術分野】
【０００１】  本考案は靴に関するものである。
【背景技術】
【０００２】  運動靴や革靴は履いているうちに靴の内側に足指が押し付けられて、足指の爪が変形したり、外反母趾になったりしている。
【考案の概要】
【考案が解決しようとする課題】
【０００３】  履物の種類の中で足指が自由に動かせて足の変形する恐れが少ないのは鼻緒のある下駄や草履などです。しかし、足が冷えたり水に濡れたりの恐れがあります。又、公の場所やビジネスの現場で履くことはほとんどできません。したがって、多くの人が運動靴や革靴を選びます。
靴を選ぶ際には足の指が自由に動かせるように足の指先に適度な隙間があり、足の形状に合わせた靴を選択します。しかし、使用しているうちに足のつま先が靴の内側に押し付けられることがあります。そうすると足には無理な力がかかり、足指の正常な発育が阻害されて、足先の爪や足指が変形することがあります。実際に多くの人の足は外反母趾や足指の爪が変形しています。
本考案は外観からはわからないように靴の中に足の親指と人差し指で挟む構造物を設けることにより足が前方に移動することを防ぎます。したがって、足の指は自由に動かせる状態になります。本考案は足の正常な発育を促すことを目的にしています。
【課題を解決するための手段】
【０００４】  靴の内部に足の親指と人差し指で挟む構造物を設ける。
【図面の簡単な説明】
【０００５】
【図１】は平面図（断面図）
【図２】は正面図（断面図）
【符号の説明】
【０００６】  １：靴
２：足の親指と人差し指で挟む構造物
【図１】
0003216840.tif 000003
【図２】
0003216840.tif 000004
(57)【要約】      （修正有）【課題】サンドバッグより打った感覚が人体に近くて拳を痛めにくい、また不使用時に移動や収納に便利なパンチバッグを提供する。【解決手段】ＰＶＣやゴム、ビニールといった素材を用いたバッグ部１、補強材３、吊り下げ部、注水部２を有し、円形や楕円形、球形、涙滴型というような形を取り、中材を有さず、水のみを注入する。バッグ部１は円柱状に形成されており、吊り下げ部は必要数に応じた補強材３を固着する。【選択図】図１
0003216122.tif 000002
【実用新案登録請求の範囲】
【請求項１】
バッグ部１と補強材３、注水部２を有した袋状のパンチバッグ。バッグ部は円柱形、円形、楕円形、球体等様々な形状を取る。外装であるバッグ部本体にはPVCやゴム、ビニール等の素材を用いる。また従来のサンドバッグとは異なり内部に芯材、砂、綿、布片、スポンジ等の中材を有しないことを特徴とする。注水部２の形状や補強材の数、形状は図の限りでは無い。
【請求項２】
前記バッグ部は円柱状に形成されており、前記吊り下げ部は必要数に応じた補強材を固着した請求項１に記載のパンチバッグ。
【考案の詳細な説明】
【技術分野】
【０００１】
本考案は格闘技等のトレーニングに好適に使用される吊り下げ型のパンチバッグに関する。
【背景技術】
【０００２】
従来、重さと硬さのあるパンチバッグがトレーニングでは多く用いられている。芯材、砂、綿、布片、スポンジ等の中材が封入されている。なお、外装材としては革や合皮が用いられている。
【考案の概要】
【考案が解決しようとする課題】
【０００３】
しかしながら、従来のパンチバッグは砂や密度が高く硬い中材が封入されているため非常に硬く、トレーニング中に拳等を痛める恐れがあった。
ボクシング等対人での格闘を想定したトレーニングにも多く用いられるが、人体の感触とはかけ離れてしまっている。
【０００４】
また製造の段階で中材が全て満たされた状態になっているため保管に場所を取る、重く輸送に多大なコストがかかるという欠点を持つ。また、製造の時点で総重量は決まっており用途やレベルに応じた変更はできず、重量を変えたい場合は別品を用意する必要が生じる。
【０００５】
本考案は、以上のような従来の欠点に鑑み、構成が人体に近くて拳を痛めにくく重量の調整が可能かつ輸送コストの少ないパンチバッグを提供することを目的としている。
【課題を解決するための手段】
【０００６】
本発明にかかるパンチバッグは芯材、綿、砂、布片、スポンジ等の中材を備えず、内部を水で満たして使用することを特徴とする。水だけでなく空気を入れることも可能である。また、外装材としては通水性を有しないPVCやゴム、ビニール等を用いる。
【０００７】
本発明は注水部を有するため、製造の段階では水は入っていない。使用する際に水を注入する仕様になっている。
【考案の効果】
【０００８】
本発明によれば内部構成は全て水もしくは水と空気になっている。そのためパンチバッグが打撃に合わせて変形するようになる。硬さも抑えられるのでトレーニングで拳を痛めにくい。また、約６０〜７０パーセントが水分である人体構成に近付くため対人を想定したより実践的なトレーニングが可能になる。
【０００９】
水を注入する場合はバッグ部分一杯まで注入しても良いし、途中で水の注入をやめて残りは空気を入れても良い。このことによってパンチバッグを任意の重量に合わせることができ、トレーニングの目的やレベルに応じた調整が可能である。
【００１０】
また、水と空気が抜けた状態であれば折り畳んでおけるため、小型かつ軽い状態での保管や輸送が可能である。このことによって輸送に関わるコスト、収納に要する空間が飛躍的に削減される。
【図面の簡単な説明】
【００１１】
【図１】本考案の全体図を示す図である。
【図２】水注入部を含む本考案の上底面図である。
【考案を実施するための形態】
【００１２】
注水部２の蓋を外し、水を注ぎ入れる。満杯まで入れない場合は余った空間に空気を入れても良い。バッグ本体に固着した補強材３に吊り下げ具を取り付け、任意の場所に吊るす。その後バッグ部分１に拳を当てる、蹴る等のトレーニングを行う。
【符号の説明】
【００１３】
１  バッグ本体
２  注水部
３  補強材
【図１】
0003216122.tif 000003
【図２】
0003216122.tif 000004
【手続補正書】
【提出日】平成30年3月12日(2018.3.12)
【手続補正１】
【補正対象書類名】実用新案登録請求の範囲
【補正対象項目名】全文
【補正方法】変更
【補正の内容】
【実用新案登録請求の範囲】
【請求項１】
PVCやゴム、ビニールといった素材を用いたバッグ部、補強材、吊り下げ部、注水部を有し、円形や楕円形、球形、涙滴型というような形を取り、中材を有しないことを特徴とするウォーターパンチバッグ。
【請求項２】
前記バッグ部は円柱状に形成されており、前記吊り下げ部は必要数に応じた補強材を固着した請求項１に記載のウォーターパンチバッグ。
(57)【要約】      （修正有）【課題】視力の弱い人でも点滴液容器内の点滴液残量を容易に把握できる点滴液用容器及び、点滴液容器の被覆体（被覆フィルム）を提供する。【解決手段】既存の点滴液用容器１の透明部分に様々な図形４を施す。また、ポリ塩化ビニール等のフィルムに、様々な図形４を均等の間隔で複数ケ所に印刷して点滴液用容器を被覆する。本考案は、透明な点滴用容器１へ図形４を施した容器に点滴液３を充填して、図形４の背面から視ると、凸レンズ効果と光の屈折効果により点滴液部の図形４が拡大されて標示される。また、ポリ塩化塩化ビニール等のフィルムに図形４を施したフィルムで容器を被覆した容器の点滴液部の図形４も拡大されて標示されるので、視力の弱い人でも容易に容器の点滴液残量を把握できる。また、構造が簡単なので安価に加工できる。【選択図】図１
0003216127.tif 000002
【実用新案登録請求の範囲】
【請求項１】
既存の点滴液用容器の透明な部分に、様々な図形を施したことを特徴とした点滴液用容器。
【請求項２】
透明なポリ塩化ビニール等のフィルムに様々な図形を施し、点滴用容器の透明部を被  覆することを特徴とした点滴液用容器の被覆フィルム。
【考案の詳細な説明】
【技術分野】
【０００１】  本考案は、医療施設で患者の点滴注射に用いる点滴液用容器と、容器の被覆体に関する。
【背景技術】
【０００２】  医療施設において、患者が点滴注射を投与されているなかで、点滴液容器内の点滴液残量が減じたときに視力の弱い人は、点滴液残量を容易に把握でき難かった。
【先行技術文献】
【特許文献】
【０００３】
【特許文献１】特開２０００−２５４２０７
【考案の概要】
【考案を解決しようとする課題】
【０００４】  本考案は、視力の弱い人でも点滴液容器内の点滴液残量を容易に把握できる点滴液用容器と容器被覆体を考案した。
【課題を解決するための手段】
【０００５】  既存の点滴液用容器の透明部に様々な図形を施した。また、容器を被覆するためにポリ塩化ビニール等のフィルムに様々な図形を印刷した。
【考案の効果】
【０００６】  上述の様に、既存の点滴液用容器の透明部へ様々な図形を施した容器内の点滴液充填部の図形が、凸レンズ効果と光の屈折効果によって拡大されて標示される。
また、ポリ塩化ビニール等の被覆体に印刷した図面も、被覆した容器内の点滴液充填部が拡大されて標示される。
【図面の簡単な説明】
【０００７】
【図１】容器の透明部へ、縦状に長方形の図形を施した本考案の実施例を示す図面である。
【図２】容器に点滴液を充填した状態で、透明部の図形が拡大されて標示された実施例を示す図面である。
【図３】容器内の点滴液が約５分の４投与された状態の図面である。
【図４】透明なポリ塩化ビニール等のフィルムに、例えば均等の間隔で３ケ所に長方形の図形を印刷して筒状にした実施例の斜視図である。
【図５】透明なポリ塩化ビニール等のフィルムに、例えば均等の間隔で３ケ所に長方形の図形を印刷した容器用の被覆フィルムの実施例の正面図である。
【考案を実施するための形態】
【０００８】  既存の点滴液用容器の透明部へ、様々な図形を施した容器に点滴液を充填すると、容器の凸レンズ効果と光の屈折効果によって、図形の背面から視ると図形が拡大されて標示される形状としたことにより、点滴液容器の点滴液投与に携わる人も、点滴液を投与されている患者で視力の弱い人でも、容器の点滴液残量を容易に把握できる。
また、透明なポリ塩化ビニール等のフィルムに、例えば様々な図形を印刷したフィルムで容器を被覆した容器に、点滴液を充填すると図形の背面から視ると、図形が拡大され標示される。
【０００９】  点滴液用容器及び、点滴液用容器の被覆体に施す図形は、丸形・角形・風景等の様々な図形ができる。
【００１０】  点滴用容器の被覆体は、フィルム状でもシート状や袋状の形状もできる。
【実施例】
【００１１】  以下、添付図面によって、実施例を説明する。既存の点滴液容器１の透明部に、長方形の図形４を施した。また、透明なポリ塩化ビニール等のフィルム８に、長方形の図形４を均等の間隔で３ケ所に印刷した他、２は点滴液面、３は点滴液、５は図面の点滴液部が拡大されて標示されている図形、６は点滴液出口部、７は吊り上げ部。【００１２】  容器内の点滴液充填量が減ると、拡大されて標示されている図形も減少される。また、既存の点滴液用容器の透明部へ、様々な図形を施すこともできる。
【符号の説明】
【００１３】１  点滴液容器
２  点滴液面
３  点滴液
４  図形
５  点滴液部が拡大され標示されている図形
６  点滴液出口部
７  吊り上げ部
８  被覆フィルム
【図１】
0003216127.tif 000003
【図２】
0003216127.tif 000004
【図３】
0003216127.tif 000005
【図４】
0003216127.tif 000006
【図５】
0003216127.tif 000007
(57)【要約】      （修正有）【課題】窓開口部の両側に於いて、網戸を伴った通風換気を可能として内部空間の換気能力を高めるために窓開口部の外側に既設の防犯用窓格子等がある場合であっても、簡単に取り付ける事が出来る固定式狭幅網戸を提供する。【解決手段】網戸の枠となる構造体に柔軟性を持たせた薄い部材を使い、網戸の厚みを３〜１０ｍｍにする事によって、狭幅の固定式網戸３を窓開口部の左右どちら側にも既存のサッシレール枠を使って取り付ける事を可能とした。【選択図】図１
0003216143.tif 000002
【実用新案登録請求の範囲】
【請求項１】
２枚引き戸式窓の既存のサッシレール枠に取り付けられる固定式狭幅網戸であって、網戸の枠となる構造体は柔軟性のある樹脂等の部材で構成される固定式狭幅網戸であり、網戸の厚みは３〜１０ｍｍ、網戸の幅は２５０ｍｍ以下であることを特徴とする固定式狭幅網戸。
【考案の詳細な説明】
【技術分野】
【０００１】
本考案は、窓開口部に取り付ける固定式網戸に関する。
【背景技術】
【０００２】
２枚引き戸の窓において、可動式の網戸は1枚なので両側を網戸のついた開口部とする事はできない。網戸の幅を半分にして２枚とし両側開口を可能とした網戸は市販されているが、両側を均等に開けるという制約がある。引き戸の数を通常の倍の４枚とし網戸を２枚にし両側を開ける窓はよく知られているが多大の費用がかかる、既設の２枚引き戸の窓への後付は不可能で有るという問題がある。後付用の固定式の網戸も市販されているが、網戸の構造体が剛性体であるために、取り付け時には複雑な構造を使って高さ調整をするため高価となる、また網戸の幅がありすぎてアクセスの多い窓に取り付けた場合には出入りに支障をきたす懸念がある。
【先行技術文献】
【特許文献】
【０００３】
特開２００５−３５０９３２号考案のように、2枚の網戸体を上下に煽動することで高さ調整量を大きくできるようにした網戸装置は提案されている。
【考案の概要】
【考案が解決しようとする課題】
【０００４】
最近の住宅事情では隣家との視線の交錯の関係から、トイレや台所の窓の片側だけでなく両側を少しの幅で通風換気できる網戸が必要とされる事が多い。風呂場の窓に於いては網戸のついた片側だけの通風換気では閉じた側の通風が無いため、網戸と反対側のサッシは錆が発生していることが多いので、両側を網戸のついた開口部として通風換気しサッシの錆の発生を抑えたい。トイレや台所や風呂場の窓には防犯対策として窓格子が敷設されている場合が多いので、網戸を新たに後付する場合には窓格子が敷設されていてもそのまま取り付けできるようにする必要がある。ベランダの洗濯物へのアクセスなど、出入りの多い窓に於いては固定式の場合は狭幅の網戸としなければ出入りの妨げになる。本考案の網戸はこれらの課題を解決できる。
【考案の効果】
【０００５】
既設の稼動式の網戸を寄せた反対側に固定式の薄く狭幅の網戸を窓の内網戸又は外網戸（新たな開口としたい部分が左右どちらかによって異なる）として固定して取り付けることで、窓開口部の両側の通風換気が可能となる。この網戸は狭幅なので出入りの多い窓であってもその妨げにはならない。網戸の構造体に柔軟性を持たせたので、窓格子が敷設されている窓であっても、内部空間側から網戸の柔軟性を使って既存のサッシレール枠に簡単に取り付けることができる。本考案により窓開口部の両側での通風換気が可能となるため、換気能力の向上が図られる。
【実施例】
【０００６】
以下に添付図面にそって一戸建て住宅の風呂場窓の実施例を説明する。本実施例の開口部は幅１２００ｍｍ、高さ９００ｍｍである。固定式狭幅網戸は幅１２５ｍｍ、高さ８８５ｍｍ、厚みは５．２ｍｍである。図１のAは内部空間から外に向かって左側に新たに固定式網戸（この場合は内網戸となる）を設置する場合の断面図。Bは内部空間から外に向かって右側に新たに固定式網戸（この場合は外網戸となる）を設置する場合の断面図。Ａ、Ｂいずれの場合も３で図示した網戸のついた開口部が新たに設けられることで、２で図示した従来の網戸と窓の両側で通風換気することが可能となる。比較のために、通常の２枚引き戸の窓と１枚の網戸において、各々網戸を内部空間から外に向かって右側と左側に寄せた場合の断面図をC、Dに示した。図示していないが、防犯用の格子は２の網戸の外側３０ｍｍの所に、１４ｍｍ四方の格子が８０ｍｍの間隔で格子状に設置されているため、３の網戸を新たに設置する場合には、内部空間側から固定式狭幅網戸３の枠構造体の柔軟性を使ってサッシレール枠に取り付けた。図２に本網戸の正面図をＡに、側面断面図をＢに示した。網戸の幅と高さは前述のとおり、構造体の枠幅は２５ｍｍ、厚みは４ｍｍである。網と枠の固定に使った両面粘着テープの厚みは０．８ｍｍ、網の厚みは０．４ｍｍである。図面の中の記号１は引き戸式窓部、２は既存の網戸、３は新たに追加する固定式狭幅網戸、４は既存のサッシレール枠に網戸を固定するための冶具、５は既存の網戸に取り付け、窓部との隙間を防ぐためのスポンジテープ、６は枠となる構造体、７は枠に張られる網、８は枠と網を固定する両面粘着テープである。
【図面の簡単な説明】
【０００７】
【図１】Ａ：内部空間から外に向かって左側に新たに固定式網戸を設置した場合の断面図、Ｂ：内部空間から外に向かって右側に新たに固定式網戸を設置した場合の断面図、ＣとＤは固定式網戸を追加する前の比較のための断面図である。
【図２】Ａ：網戸の正面図、Ｂ：網戸の側面断面図である。
【符号の説明】
【０００８】
１・・・引き戸式窓部                    ２・・・既存の網戸
３・・・固定式狭幅網戸                  ４・・・固定式狭幅網戸の固定冶具
５・・・スポンジテープ                  ６・・・枠となる構造体
７・・・網                              ８・・・両面粘着テープ
【図１】
0003216143.tif 000003
【図２】
0003216143.tif 000004
(57)【要約】      （修正有）【課題】リクライニングベッドを起こした時、ずり落ちないリクライニング用まくらを提供する。【解決手段】敷き布団の頭を置く方向に、敷き布団にすっぽり被せる３０ｃｍくらいの短いカバー２を作り、そのカバー２にまくら１を縫い付ける。【選択図】図１
0003216034.tif 000002
【実用新案登録請求の範囲】
【請求項１】
敷き布団の頭を置く方向に、敷き布団にすっぽり被せる３０ｃｍくらいの短いカバーを作り、そのカバーにまくらを縫い付けることを特徴としたリクライニング用まくら。
【考案の詳細な説明】
【技術分野】
【０００１】本考案は、ベッドをリクライニングして、起こした時にも、ずり落ちないまくらに関するものである。
【背景技術】
【０００２】リクライニングベッドでのまくらの使用は、病院、施設、個人宅等、多くの場所で行なわれている。
【考案が解決しようとする課題】
【０００３】リクライニングベッドを、起こして角度をつけた時、まくらがずり落ちそうになり、何度も直したりして、面倒です。
【課題を解決するための手段】
【０００４】敷き布団の頭側の部分３０ｃｍほどだけを、すっぽり被せるシーツを作り、そこに、まくらを縫い付ける。
【考案の効果】
【０００５】リクライニングベッドを、角度をつけて起こした場合まくらがずり落ちないので、頭を押しつけて、まくらが落ちないようにするような無理な、力をかけなくてよい。また、ずり落ちてしまった時、いちいち直していたが、まくらが固定されているので、いちいち直す必要がない。
【０００６】腕の骨折、手の指の骨折等の時、ベッドを起こしていることも多いし、ベッドから離れて歩くことも多い。そんな時、まくらが固定されていたらいちいち直さなくてもいいし、楽にまくらに頭をのせて休むことができる。
【図面の簡単な説明】
【０００７】
【図１】ベッドにまくらを固定した図
【図２】敷き布団に被せる３０ｃｍくらいの短いカバーに縫い付けたまくら
【考案を実施するための形態】
【０００８】敷き布団の頭を置く方向に、敷き布団にすっぽり被せる３０ｃｍくらいの短いカバーを作り、そのカバーに枕を縫い付ける。
【符号の説明】
【０００９】１  まくら
２  敷き布団の頭側にすっぽり被せる短いカバー
３  敷き布団
【図１】
0003216034.tif 000003
【図２】
0003216034.tif 000004
(57)【要約】      （修正有）【課題】落石防護網を支持するホルダーを提供する。【解決手段】防護網１と、複数の杭２と、防護網１に横方向に穿設される底部ワイヤロープと、中部ワイヤロープと、上部ワイヤロープと、を含む。杭２は防護網１を縦方向に通って土台に固定される。落石防護網は、杭２の数と同じの数があるホルダー６をさらに設けられる。ホルダー６は、三角形を呈する。杭２のそれぞれの裏面にホルダー６が設けられる。ホルダー６における支持杆６１、６２、６３の一つは、杭２の裏面と当接する。三角形の安定性によりホルダー６が杭２により良い支持効果を有するため、防護網１が巨大な石の衝撃を受ける時、杭２が相変わらず安定を保持し、ホルダー６自体の体積が小さいので、占めるスペースもより小さく、土地を十分に利用することができる。【選択図】図２
0003216061.tif 000002
【実用新案登録請求の範囲】
【請求項１】
防護網と、前記防護網を縦方向に通って土台に固定された複数の杭と、前記防護網を横方向に通過する底部ワイヤロープと、中部ワイヤロープと、上部ワイヤロープとを含む落石防護網を支持するホルダーであって、
前記ホルダーは、三角形を呈し、前記杭の数と同じ数で前記杭のそれぞれの裏面に設けられ、
前記ホルダーにおける支持杆の一つは、前記杭の裏面と当接する、ことを特徴とする落石防護網を支持するホルダー。
【請求項２】
前記ホルダーは、三本の支持杆によって形成される三角形のフレームであり、
前記ホルダーにおける前記支持杆の一つは、前記杭と当接し、前記ホルダーにおける前記支持杆の他の一つは地面と当接する、ことを特徴とする請求項１に記載の落石防護網を支持するホルダー。
【請求項３】
前記支持杆のそれぞれと他の二本の前記支持杆とは、弾性的に接続される、ことを特徴とする請求項２に記載の落石防護網を支持するホルダー。
【考案の詳細な説明】
【技術分野】
【０００１】
本考案は落石防護網を支持するためのホルダーに関する。
【背景技術】
【０００２】
山腹の落石が路面に落下して、または転がって、歩行者の傷害または路面の損害を防止するために、従来技術において、落石防護網はロープによって山腹に係止され、ロープのそれぞれが、落石防護網の上方及び両端に位置する。この方法は二つの欠点がある。一つは、巨大な石が山腹から落ちる時、落石防護網の上方のロールを容易に直撃して、衝撃力に耐えられないロープが切れるため、危険が生じることである。もう一つは、施工地の範囲を制限することにより、落石防護網の上方のロールは力を受ける力点のため、全ての山腹に接続される各位置が異なるので、施工地の範囲を超える恐れがあるため、施工に影響をかけることである。
【考案の概要】
【０００３】
本考案は、設置スペースが小さく、より良い支持効果を有する落石防護網のためのホルダーを提供する目標にある。
【０００４】
上記の目標を達成するために、本考案の技術手段は、防護網と、前記防護網を縦方向に通って土台に固定される複数の杭と、防護網を横方向に通過する底部ワイヤロープと、中部ワイヤロープと、上部ワイヤロープと、を含む落石防護網を支持するホルダーである。前記ホルダーは、三角形を呈し、前記杭の数と同じ数で前記杭のそれぞれの裏面に設けられる。前記ホルダーにおける支持杆の一つは、前記杭の裏面と当接する。
【０００５】
また、前記ホルダーは、三本の支持杆によって形成される三角形のフレームである。ホルダーにおける支持杆の一つは、杭と当接し、ホルダーにおける支持杆の他の一つは地面と当接する。
【０００６】
支持杆のそれぞれと、他の二本の支持杆とは、弾性的に接続される。
【０００７】
本考案は、防護網が、縦方向に通って挿入される杭を介して地面に固定され、防護網の両端には、ワイヤロープを介して、近くの山麓に固定され得、それぞれの杭の裏に、三角形のホルダーが設けられ、三角形の安定性によりホルダーが杭によりも良い支持効果を有するため、防護網が巨大な石の衝撃を受ける時、杭が相変わらず安定を保持し、ホルダーの自体の体積が小さいので、占めるスペースもより小さく、土地を十分に利用することができるという有利な効果を有する。また、本考案は、ホルダーを構成する支持杆のそれぞれと、他の二本の支持杆とは、弾性的に接続され、すなわち、支持杆の間に、例えば、ボルト接続などの溶接ではない方式によって接続され、取り外し可能であり、弾性接続の方式を利用するため、すなわち、弾力性を向上させ、使用する材料が少なくなり、経済的な方式であるという有利な効果を有する。
【図面の簡単な説明】
【０００８】
【図１】図１は、本考案の主要な概略図である。
【図２】図２は、本考案のレフトビューの概略図である。
【考案を実施するための形態】
【０００９】
当業者は本考案をより理解しやすいために、以下、本考案の実施形態に係る図面を参照しながら、本考案の実施形態について、明瞭、且つ詳細に説明する。
【００１０】
図１〜２に示すように、落石防護網を支持するホルダーであって、落石防護網は、防護網１と、複数の杭２と、防護網を横方向に通過する底部ワイヤロープ３と、中部ワイヤロープ４と、上部ワイヤロープ５と、を含む。上記杭２は防護網を通って土台に固定される。落石防護網は、杭の数と同じの数があるホルダー６をさらに含む。上記ホルダー６は、三角形を呈する。杭のそれぞれの裏面にホルダー６が設けられる。ホルダーにおける支持杆６１の一つは、杭の裏面と当接する。
【００１１】
上記ホルダーは、三本の支持杆６１、６２、６３によって形成される三角形のフレームである。ホルダーにおける支持杆の一つは、杭と当接し、ホルダーにおける支持杆の他の一つは地面と当接する。ホルダー６は金属材料からなる。
【００１２】
ホルダー６を構成する支持杆のそれぞれと、他の二本の支持杆とは、弾性的に接続される。すなわち、支持杆の間に、例えば、ボルト接続などの溶接ではない方式によって接続され、取り外し可能である。弾性接続の方式を利用するため、すなわち、弾力性を向上させ、使用する材料が少なくなり、経済的な方式である。
【００１３】
ホルダー６のサイズは、所在地および力を受ける力点により異なる（工学によって計算する）。しかし、構造は、三角形のホルダーから逸脱せず、ホルダーと山腹との接続位置が伝統的な杭、グラウチング又は保持リングなどの技術を採用して、固定され得る。三角形のホルダーと落石防護網との接続点は、ロープ、鋼索または他の技術によって接続され得る。本考案の全ての他の技術は、ワイヤロープ結合ブレーキの構造に類似する。
【００１４】
前記の実施形態を介して、本発明の創造について説明したが、当業者が、本実用新案は実用新案の精神及び要旨を逸脱しない幾つかの変形および変化を有することが理解できる。本実用新案請求の範囲は、本実用新案の精神及び要旨を逸脱しないこれらの変形および変化を含むことが理解されるべきである。
【図１】
0003216061.tif 000003
【図２】
0003216061.tif 000004
(57)【要約】      （修正有）【課題】両手手指を必要としないで巻き紙の必要数量・折り畳み枚数を、片手手指の操作で取り出し可能とする巻き紙折り畳み取り出し器を提供する。【解決手段】長方形箱状本体４の上部に巻き紙１を取り付け、箱状本体中央寄り上部に案内板及び切断器５を設置し、底辺に手前上方に角度を付け、巻き紙を手指で押し下げると前後方及び上方へ蛇行し、半自動的に巻き紙を折り畳む、引き出し式紙当たり止め装置７を設置する。【選択図】図１
0003216005.tif 000002
【実用新案登録請求の範囲】
【請求項１】
本体に巻き紙を取り付け、案内板及び切断器には切断の祭、半回転部分が設置され、巻き紙を切断すると同時に案内板が後続の巻き紙を押し出すため、切断後の巻き紙に余裕が生じ、次回の取り出しが容易である。
【請求項２】
本体に取り付けた  巻き紙を手指にて下方へ軽く押し回転させると、１巻き紙の先端は  案内板及び切断器を通って本体  本体底で、先つまりとなり行き場をなくし  巻き紙は後方又は巻き紙取り出し口当たり止めで押し曲げられ、後続の  巻き紙は前後へ押し曲げ二重三重にたたまれる状態となる。任意の複数の折りたたみ状を確認したのち、回転させた手指を以て任意量の  巻き紙をつかみ、上方へ引きつつ案内板及び切断器に切断部位を当てそのまま軽く引き裂く事で、必要量の  巻き紙を取り出すことが出来る。
【請求項３】
本体底辺巻き紙取り出し口を前後引き出しの移動できるものとし、引き出し当た止めの誘導突起を付けて、引き出し当たり止め誘導溝を設ける。
【考案の詳細な説明】
【技術分野】
【０００１】  本考案は、巻き紙状の長い紙を必要数に折りたたみ取り出す装置である。
【背景技術】
【０００２】  手洗いトイレでの巻き紙の使用場所は狭小場所が多く、また個人により使用量の差がある。姿勢も限定しており、片手にて取り出し他方の手で巻紙を抑え、紙を切り取る方法で両手を必要としたものがそのほとんどである。
【先行技術文献】
【０００３】
【特許文献】
【特許文献】出願番号２００３−３６１２１８  公開番号２００５−０８６７５
【非特許文献】
【０００４】
【考案の概要】
【考案が解決しようとする課題】
【０００５】  両手手指を必要としないで巻き紙の必要数量・折り畳み枚数を、片手手指の操作で取り出し操作を可能とする。
【考案の概要】
【考案が解決しようとする課題】
【０００５】  ロール巻き状巻き紙の使用場所は狭小場所が多く、また個人により使用量の差が大きく姿勢も限定しており、設備的にも必要数量確保に不向きな場所が多い。限定された姿勢を崩す事なく、狭小な場所で最小限の動作で片手にて巻き紙状チリ紙を取り出す。
【課題を解決するための手段】
【０００６】  必要使用は個人差があるため、引き出し巻き紙当たり止めにて任意の位置に設定し、片手指先にて掴みだし任意の必要数量を簡易に切断できる引き出し当たり止め器具を装備する。
必要量切断器具素材には、人体に損傷を及ぼさない、紙が細小な力で切断できる軟弱樹脂を用いる。
巻き紙状紙の残量・数量・折り畳み枚数・切断取り出しのすべてを一つの本体容器内に装備収納し、健常者目視範囲内および視覚障碍者にも片手手指にて操作できる装置である。
【考案の効果】
【０００７】  任意量の巻き紙状チリ紙を手前へ引き延ばし又は左右後方へ引き延ばす等、狭小かつ不安定姿勢限定の場所で、複数回実施する不自然な行動を開放する。また現状の巻き紙状チリ紙を取り出す際には、引き出す際回転音が周囲に洩れ不快な事もあるが、限りなく１００％これらを防止できる。
【図面の簡単な説明】
【０００８】
【図１】  本考案巻き紙折り畳み取り出し器の全体斜視図
【考案を実施するための形態】
【０００９】  以上の課題を解決するため、手指にて下方に押し下げることで、案内板及び切断器後方を通って下方へ移動し、その先端が本体の底に当たり進行を絶たれた紙は後方又は前方へ折り曲げられる。後方へ曲がった紙は本体に当たり行き場をなくし、そのまま紙を押し下げると逆方向前方へ折りたたまれ引き出当たり止めへと向かい当たり止めに当たる。再度行き場を阻まれるが、ロール紙を手指で押し下げると前後方及び上方へ蛇行し折りたたまれる。この動作を反復することで、折り畳枚数を目視確認し片手操作できる装置とする。
【実施形態の効果】
【００１０】  取り出し回転音を発生させる事無く、目視又は触覚しつつ、片手にて無駄なく任意必要数折り畳み取り出せる。
【他の実施形態】
他の現存する実施形態では、片手にて巻き紙状チリ紙を引き出し、床下又は手前左右へ届く寸前で止め、他方の手で巻き紙用容器蓋の切断部分で切断する。若しくは、両手を使い任意の枚数を手指内に巻き取る方法である。
【産業上の利用可能性】
【００００】
【符号の説明】
【００１１】１巻き紙    ２巻き紙支持具受け口    ３巻き紙支持具    ４本体    ５案内板及び切断具    ６切断器回転止め部    ７引き出し式巻き紙当たり止め    ８巻き紙取り出し口    ９引き出し当たり止め誘導突起    １０引き出し止め誘導溝
【選択図】
図１  斜視図
0003216005.tif 000003
【手続補正書】
【提出日】平成30年1月31日(2018.1.31)
【手続補正１】
【補正対象書類名】実用新案登録請求の範囲
【補正対象項目名】全文
【補正方法】変更
【補正の内容】
【実用新案登録請求の範囲】
【請求項１】
長方形箱状を主体とし、本体上部に巻き紙を取り付け、箱状本体中央寄り上部に案内板及び切断器を設置し、底辺には手前上方に角度を付け半自動的に巻き紙を折り畳む、引き出し式紙当たり止め装置を有する、巻き紙折り畳み取り出し器。
【請求項２】
長方形箱状本体中央寄り上部に設置された、案内板及び切断器は同体化しており、巻き紙を取り出す際の人力により回転止め部まで半回転する様態とし、必要量の巻き紙を取り出す際の補助的役割を持った、請求項１記載の巻き紙折り畳み取り出し器。
【請求項３】
長方形箱状本体底辺に限定幅で移動できる引き出し式巻紙当たり止めを付け、案内板及び切断器を通過した巻紙は、底辺の前後方向へ底辺角度に沿って下降蛇行し、巻紙の必要量を調節できる、請求項１記載の巻き紙折り畳み取り出し器。
【手続補正２】
【補正対象書類名】明細書
【補正対象項目名】００１１
【補正方法】変更
【補正の内容】
【００１１】１  巻き紙
２  巻き紙支持具受け口
３  巻き紙支持具
４  本体
５  案内板及び切断具
６  切断器回転止め部
７  引き出し式巻き紙当たり止め
８  巻き紙取り出し口
９  引き出し当たり止め誘導溝
１０  引き出し止め誘導突起
【手続補正３】
【補正対象書類名】明細書
【補正対象項目名】０００８
【補正方法】変更
【補正の内容】
【０００８】
【図１】  鳥瞰図
【図２】  左側面図及び正面図
【手続補正５】
【補正対象書類名】図面
【補正対象項目名】全図
【補正方法】追加
【補正の内容】
【図１】
0003216005.tif 000004
【図２】
0003216005.tif 000005
(57)【要約】      （修正有）【課題】リニアーバルブの駆動時の発熱を抑え、なお且つパルス変調（ＰＷＭ）駆動方式に必要なマイクロコンピュータを必要とせず、誰でもリニアーバルブを簡単に精度良く制御出来るリニアーバルブ駆動回路を提供する。【解決手段】リニアーバルブ駆動回路上に独立したバルブ  コントロール  パルス発生回路Ａ３を設け、バルブのコントロールを容易に行う。独立したバルブ  コントロール  パルス発生回路Ａ３を設ける事で、リニアーバルブＬ１のＰＷＭ駆動を制御するマイクロコンピュータを必要とせず、リニアーバルブＬ１に使用されているコイルのヒステリシスの影響を考えることなくバルブをコントロールする事が出来る。【選択図】図１
0003216004.tif 000002
【実用新案登録請求の範囲】
【請求項１】
リニアーバルブ駆動回路に、独自にパルス発生回路を設けたことを特徴とする。
【請求項２】
前記、独自のパルス発生回路を設ける事で、リニアーバルブのＰＷＭ駆動を制御するマイクロコンピュータを必要とせず、リニアーバルブに使用されているコイルのヒステリシスの影響を考えることなくバルブ移動量位置制御電圧を直流電圧でリニアーバルブの移動量位置を精度良く制御が出来る。
また、バルブ動作開始電圧を直流電圧で設定することにより色々なタイプのリニアーバルブに対応出来る。
また、リニアーバルブの発熱を抑える事が出来る。
上記を特徴とする。
【考案の詳細な説明】
【技術分野】
【０００１】本考案は、リニアーバルブ駆動回路に関する。
【背景技術】
【０００２】従来のリニアーバルブ駆動回路は、リニアーバルブに一定の電圧（例えば、ＤＣ２４Ｖ）を印加して直流電圧又はパルス変調（ＰＷＭ）電圧でバルブを制御していた。
【先行技術文献】
【特許文献】
【０００３】不明
【非特許文献】
【０００４】なし
【考案の概要】
【考案が解決しようとする課題】
【０００５】従来のリニアーバルブ駆動回路は、直流電圧駆動方式ではバルブが発熱をする為、長時間リニアーバルブを駆動しているとバルブの移動量が発熱の為に変化を来たし正確な位置を保つ事が出来なくなり、測定誤差が生じていた。
又、リニアーバルブ駆動にパルス変調（ＰＷＭ）方式を採用するとバルブ移動量位置をコントロールするマイクロコンピュータが必要になりソフトウエアーでバルブ移動量位置を制御しなければならなくなり、制御が難しくバルブ移動量位置を精度良くコントロールするには、それなりの経験と技術が必要になる。
本考案は、以上の様な従来の欠点に鑑み、リニアーバルブの駆動時の発熱を抑え、なお且つパルス変調（ＰＷＭ）駆動方式に必要なマイクロコンピュータを必要とせず、誰でもリニアーバルブを簡単に精度良く制御出来る、リニアーバルブ駆動回路を提供する事を目的としている。
【課題を解決するための手段】
【０００６】上記目的を達成する為に、リニアーバルブ駆動部にパルス発生部分を設けた事を特徴とする。
また、バルブ移動量位置をＤＣレベルで簡単に制御出来る様な回路構成にしてある事を特徴とする。
【考案の効果】
【０００７】以上の説明から明らかな様に、本考案にあっては次に列挙する効果が得られる。
（１）回路構成が単純で、簡単に精度良く制御をする事が出る。
したがって、取り扱いが非常に簡単である。
（２）回路構成が単純なので、回路を製作する上に於いて特殊な回路部品を使用しなくても製作可能である。
製作費が安く上がる。
【図面の簡単な説明】
【０００８】
【図１】  本考案を実施する為の構成図である。
【考案を実施するための形態】
【０００９】本考案の実施形態を、図１に示す。
【産業上の利用可能性】
【００１０】本考案、リニアーバルブ駆動回路はリニアーバルブを使用して流体、エアー、その他  をコントロールしている産業で利用される。
【符号の説明】
【００１１】Ａ１  加算回路
Ａ２  電流  バッファーアンプ  回路
Ａ３  バルブ  コントロール  パルス  発生回路
Ｍ１，  Ｍ２  ＰＯＷＥＲ  ＭＯＳ  ＦＥＴ
【図１】
0003216004.tif 000003
【手続補正書】
【提出日】平成30年1月4日(2018.1.4)
【手続補正１】
【補正対象書類名】実用新案登録請求の範囲
【補正対象項目名】全文
【補正方法】変更
【補正の内容】
【実用新案登録請求の範囲】
【請求項１】
リニアーバルブ駆動回路上に独立したバルブ  コントロール  パルス発生回路を設け、バルブのコントロールを容易に行う事を特徴とするリニアーバルブ駆動回路。
【請求項２】
独立したバルブ  コントロール  パルス発生回路を設ける事で、リニアーバルブのＰＷＭ駆動を制御するマイクロコンピュータを必要とせず、リニアーバルブに使用されているコイルのヒステリシスの影響を考えることなくバルブをコントロールする事が出来る事を特徴とする請求項１に記載のリニアーバルブ駆動回路。
【手続補正２】
【補正対象書類名】明細書
【補正対象項目名】０００５
【補正方法】変更
【補正の内容】
【０００５】従来のリニアーバルブ駆動回路は、直流電圧駆動方式ではバルブが発熱をする為、長時間リニアーバルブを駆動しているとバルブの移動量が発熱の為に変化を来たし正確な位置を保つ事が出来なくなり、測定誤差が生じていた。
又、リニアーバルブ駆動にパルス変調（ＰＷＭ）方式を採用するとバルブ移動量位置をコントロールするマイクロコンピュータが必要になりソフトウエアーでバルブ移動量位置を制御しなければならなくなり、制御が難しくバルブ移動量位置を精度良くコントロールするには、それなりの経験と技術が必要になる。
本考案は、以上の様な従来の欠点に鑑み、リニアーバルブの駆動時の発熱を抑え、なお且つパルス変調（ＰＷＭ）駆動方式に必要なマイクロコンピュータを必要とせず、移動量位置制御電圧を直流電圧でリニアーバルブの移動量位置を精度良く制御が出来、バルブ動作開始電圧を直流電圧で設定することにより色々なタイプのリニアーバルブに対応出来る事や、誰でもリニアーバルブを簡単に精度良く制御出来る、リニアーバルブ駆動回路を提供する事を目的としている。